(57)【要約】      （修正有）【課題】自動車の運転席、助手席に、ノートパソコンの使用、事務処理また食事の場合などに便利なテーブルを備えた自動車を提供する。【解決手段】前席シートの両側付近に取りつけられているか、もしくは埋め込まれた状態で収納されているアームレスト、又は前席シートの両側付近に取り付けられているか、もしくは埋め込まれた状態で収納されているアームレスト用のテーブル板を装着することが可能なテーブル支持具を、自動車に取り付ける。【選択図】図５
0003156437.tif 000002
【実用新案登録請求の範囲】
【請求項１】
前席シートの両側付近に取りつけられているか、もしくは埋め込まれた状態で収納されているテーブル板を装着することが可能な構造のアームレストもしくはアームレスト様のテーブル支持具を取り付けた自動車。
【請求項２】
中央付近で折り畳むことが可能な構造を有する請求項１記載のアームレストまたはアームレスト様のテーブル支持具を取り付けた自動車。
【請求項３】
テーブル板を装着する棒状の支持具が筒状の穴の中に収納される構造を有する請求項１記載のアームレストもしくはアームレスト様のテーブル支持具を取り付けた自動車。
【請求項４】
助手席と運転席の間付近に設置されたテーブル板を装着することが可能でかつテーブル板不使用時には助手席と運転席の間付近に固定することができるアームレストもしくはアームレスト様支持具と、テーブル板を使用しない時には助手席側のドアーまたは運転席側のドアーに収納することができるテーブル板を装着可能な支持具もしくはテーブル板を装着することができるドアーアームレストを取り付けた自動車。
【請求項５】
助手席と運転席の間付近に設置されたテーブル板を装着することが可能でテーブル板不使用時には助手席と運転席の間付近に固定することができるアームレストもしくはアームレスト様支持具と、テーブル板不使用時には助手席側のドアーアームレストまたは運転席側のドアーアームレストに収納することができるテーブル板を装着可能な支持具を取り付けた自動車。
【請求項６】
請求項４または請求項５記載のアームレストもしくはアームレスト様支持具が請求項２または請求項３記載の構造を有することを特徴とする自動車。
【請求項７】
助手席、運転席など前席の前方にあるパネルもしくはその周辺部にテーブル不使用時には収納され、テーブル使用時には引き出してテーブルを装着可能な支持具を取り付けた自動車。
【請求項８】
使用時において展開することができ不使用時においては折り畳むことができるテーブル板を使用することを特徴とする請求項１〜請求項７のいずれか一項に記載の自動車。
【請求項９】
引き出して使用可能な内蔵されたテーブル板を有するテーブル板を使用することを特徴とする請求項１〜請求項７のいずれか一項に記載の自動車。
【考案の詳細な説明】
【考案の詳細な説明】
【技術分野】
【０００１】  本考案は主として前席すなわち助手席並びに運転席でテーブルを使うことができる装置を取り付けた自動車に関する。
【背景技術】
【０００２】  自動車の前席付近すなわち運転席付近にはハンドル、シフトレバーなど運転に必要な様々な装置が、また運転席や助手席付近にはアームレスト、カップホルダー、コンソールボックス、ダッシュボードなど様々なユーティリティが設置されている。ユーティリティの１つとして前席用テーブルも提案されている。
文献１  特許公開２００２−１９１４６７
文献２  特許公開２００１−２８６３４８
文献３  特許公開２００８−７４３７１
【考案の開示】
【考案が解決しようとする課題】
【０００３】  近年ノート型パソコンなどモバイルコンピュータの普及が著しく自動車内でインターネットに接続したり、電子メールを見たり、見積書、請求書を作成したりすることは決してめずらしくない。助手席や運転席においてノート型パソコンを使用するのは極めて不自由である。特に運転席においてはハンドルがパソコン操作の邪魔になる。このように自動車の前席においノート型パソコンを使用することは作業の能率が極めて悪い。作業する人間は大変な苦痛と忍耐を強いられることになる。【０００４】  また前席である運転席、助手席において事務作業や食事をしたりする場合においても極めて便利が悪い。自動車のユーティリティはいたせりつくせりの感があるが運転席や助手席のような前席で使用できるテーブルは極めて有用のものであると考えられる。
しかしながら前席で使用可能なテーブルを設けると運転機器の操作の障碍となったり乗降の妨げになったりする。
【課題を解決するための手段】
【０００５】上記課題を本考案においてはテーブルを使用しないときにはテーブルとテーブル支持具を分離することにより解決した。すなわちテーブルを使用しない時においてはテーブル支持具が前席シートの両側付近やドアもしくはドアアームレスト又はパネル付近に収納される形態であることを特徴とする。
【考案の効果】
【０００６】本考案の自動車においては無理な姿勢をすることなく運転席や助手席に座ったままノート型パソコンを操作したり事務処理をすることができ、また食事も自然な楽な姿勢で摂ることができるのである。また本考案による自動車は前席でテーブルを使用しない時にはテーブル支持具を簡単に収納することができるため運転機器の操作や乗降の邪魔にならない。構造的に簡単でありまた丈夫である。取り扱いやすく故障の発生も少ない。
【考案を実施するための最良の形態】
【０００７】  以下本考案の実施の形態を図面に基づき説明する。
図１は請求項１に関する見取り図である。図１の１は前席シートの端付近に埋め込まれた状態で収納されているアームレスト様のテーブル支持具、２は前席の横側付近に取り付けられたアームレスト様テーブル支持具を示している。前席でテーブルを使用する場合には１、２を倒し水平としその上にテーブルを設置すればよいのである。
アームレスト様支持具は水平にした場合その上面は平らであることが望ましいのであるがテーブル板を固定するための突起物などがあっても、テーブルを嵌め込むのに都合がよい構造になっていてもよいのである。
図２は前席シートの両側付近にアームレスト様テーブル支持具が取り付けられている場合の見取り図であり使用方法は図１の場合と同じである。【０００８】図３は請求項２、図４は請求項３に関する見取り図である。請求項１の場合、車種によってはアームレスト様テーブル支持具を長くするとテーブル不使用時における収納が難しくなる事がある。そのよう場合に対応することができるように工夫したのが請求項２と図３及び請求項３と図４である。図３においては３の蝶番によりアームレスト様テーブル支持具が折り畳むことができるのである。テーブルを設置する部分は平らでも、またテーブルを嵌め込むような構造でもよいのである。図４はテーブル不使用時にはアームレスト様支持具の５の部分が筒状になっている１の中に収納できるのである。【０００９】図５は請求項４に関する見取り図である。図５において６はドアーに取り付けられたテーブル支持具である。６はドアーに設置されているアームレストの上面をテーブルが設置できるように平らにしたものでも、テーブルの端を差し込むことができるように横長のくぼみをつけたものでも、または不使用時には折り畳んでドアーにつけてあるくぼみに収納できるようなものでよいのである。６はまた図６における７のように棒状のものであってもよいのである。図５における２は図１〜図４に例示したようなアームレスト様支持具であってもよいのである。図６は請求項５に関する見取り図である。
図６における７はドアーアームレストに取り付けられておりテーブル使用時においてはドアーに対して水平もしくは垂直にしてテーブルを支持するのである。図６はドアーに対して水平にしてテーブルを支持している例を示している。７はテーブル不使用時においてはドアーアームレストにつけられているくぼみに埋め込まれるように収納されるものであってもよいのである。
図７は請求項７に関する見取り図である。８はテーブル不使用時には前席のパネル内に収納されており、テーブル使用時には図７に示してあるように引き出して使用するのである。【００１０】図８は請求項８に関する見取り図で９はテーブルであり１１は蝶番である。
テーブルを使用しないときには１０を折り目として畳みダッシュボード等に収納することができるのである。
図９及び図１０は請求項９に関する見取り図である。図９はテーブル１３がテーブル１２に内蔵されていることを表している見取り図である。使用時においてテーブル１３を引き出して使用することによりテーブルの面積が広くなる利点がある。図１０においては１４に内蔵されている１５を引き出して使用できるようになっていることを表している。
勿論左右の一方だけを引き出して使用することも出きるのである。
【産業上の利用可能性】
【００１１】本考案によると自動車の前席でテーブルが使用できるようになることから前席すなわち運転席、助手席においてパソコンを使用したり、事務処理をしたりまた食事をしたりする場合極めて便利である。自動車のユーティリティーとし極めて利用性の高いものである。また自動車として乗用車はもちろん商用車、軽自動車、トラックなどの貨物車自動車にも取り付け可能である。
したがって本考案は自動車関係の産業上極めて利用可能性が高いものであると考えられる。
【図面の簡単な説明】
【００１２】
【図１】請求項１の前席シートの端付近に埋め込まれたテーブル支持具及び前席の横側付近に取り付けられたテーブル支持具に関する見取り図である。
【図２】請求項１の前席シートの両側付近に取り付けられたテーブル支持具に関する見取り図である。
【図３】請求項２のテーブル使用時の状態を示す見取り図である。
【図４】請求項３のテーブル使用時の状態を示す見取り図である。
【図５】請求項４のテーブル使用時の状態を示す見取り図である。
【図６】請求項５のテーブル使用時の状態を示す見取り図である。
【図７】請求項７に関する見取り図である。
【図８】請求項８に関する見取り図である。
【図９】請求項９に関する見取り図である。
【図１０】請求項９に関する見取り図である。
【符号の説明】
【００１３】１・・前席のシートの端付近に埋め込まれた状態のテーブル支持具。
２・・前席のシート端付近に取り付けられたテーブル支持具。
３・・蝶番。４・・テーブル板。５・・請求項３における筒状の穴に収納されるテーブル支持具。６・・上面が平らでテーブル板を装着可能なドアーアームレストもしくはドアーに収納可能なテーブル支持具。７・・ドアーまたはドアーアームレストに取り付けられている棒状のテーブル支持具。８・・請求項７に関するテーブル支持具。９・・請求項８におけるテーブル。１０・・請求項８におけるテーブルの折り目。１１・・請求項８におけるテーブルの蝶番１２・・請求項９に関する図９におけるテーブル。１３・・請求項９に関する図９における引き出して使用可能な内蔵されているテーブル  １４・・請求項９に関する図１０におけるテーブル。１５・・請求項９に関する図１０における引き出して使用可能な内蔵されているテーブル。
【図１】
0003156437.tif 000003
【図２】
0003156437.tif 000004
【図３】
0003156437.tif 000005
【図４】
0003156437.tif 000006
【図５】
0003156437.tif 000007
【図６】
0003156437.tif 000008
【図７】
0003156437.tif 000009
【図８】
0003156437.tif 000010
【図９】
0003156437.tif 000011
【図１０】
0003156437.tif 000012
【手続補正書】
【提出日】平成21年10月1日(2009.10.1)
【手続補正１】
【補正対象書類名】実用新案登録請求の範囲
【補正対象項目名】全文
【補正方法】変更
【補正の内容】
【実用新案登録請求の範囲】
【請求項１】
前席シートの両側付近に取りつけられているか、もしくは埋め込まれた状態で収納されているアームレスト、又は前席シートの両側付近に取り付けられているか、もしくは埋め込まれた状態で収納されているアームレスト様のテーブル板を装着することが可能なテーブル支持具、を取り付けた自動車。
【請求項２】
中央付近で折り畳むことが可能な構造を有する請求項１記載のアームレストまたはアームレスト様のテーブル支持具を取り付けた自動車。
【請求項３】
テーブル板を装着する棒状の支持具が筒状の穴の中に収納される構造を有する請求項１記載のアームレストもしくはアームレスト様のテーブル支持具を取り付けた自動車。
【請求項４】
助手席と運転席の間付近に設置されたテーブル板を装着することが可能でかつテーブル板不使用時には助手席と運転席の間付近に固定することができるアームレストもしくはアームレスト様テーブル支持具と、テーブル板を使用しない時には助手席側のドアーまたは運転席側のドアーに収納することができるテーブル支持具もしくはテーブル板を装着することができるドアーアームレストを取り付けた自動車。
【請求項５】
助手席と運転席の間付近に設置されたテーブル板を装着することが可能でテーブル板不使用時には助手席と運転席の間付近に固定することができるアームレストもしくはアームレスト様支持具と、テーブル板不使用時には助手席側のドアーアームレストまたは運転席側のドアーアームレストに収納することができるテーブル支持具を取り付けた自動車。
【請求項６】
請求項４または請求項５記載のアームレストもしくはアームレスト様支持具が中央付近で折り畳むことが可能な構造を有することを特徴とする自動車。
【請求項７】
請求項４または請求項５記載のアームレストもしくはアームレスト様支持具が筒状の穴の中に収納される構造になっていることを特徴とする自動車
【請求項８】
助手席、運転席など前席の前方にあるパネルもしくはその周辺部にテーブル不使用時には収納され、テーブル使用時には引き出してテーブルを装着可能な支持具を取り付けた自動車。
【請求項９】
使用時において展開することができ不使用時においては折り畳むことができるテーブル板を使用することを特徴とする請求項１〜請求項８のいずれか一項に記載の自動車。
【請求項１０】
引き出して使用可能な内蔵されたテーブル板を有するテーブル板を使用することを特徴とする請求項１〜請求項８のいずれか一項に記載の自動車。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案は主として前席すなわち助手席並びに運転席でテーブルを使うことができる装置を取り付けた自動車に関する。
【背景技術】
【０００２】  自動車の前席付近すなわち運転席付近にはハンドル、シフトレバーなど運転に必要な様々な装置が、また運転席や助手席付近にはアームレスト、カップホルダー、コンソールボックス、ダッシュボードなど様々なユーティリティが設置されている。ユーティリティの１つとして前席用テーブルも提案されている。
文献１  特許公開２００２−１９１４６７
文献２  特許公開２００１−２８６３４８
文献３  特許公開２００８−７４３７１
【考案の開示】
【考案が解決しようとする課題】
【０００３】  近年ノート型パソコンなどモバイルコンピュータの普及が著しく自動車内でインターネットに接続したり、電子メールを見たり、見積書、請求書を作成したりすることは決してめずらしくない。助手席や運転席においてノート型パソコンを使用するのは極めて不自由である。特に運転席においてはハンドルがパソコン操作の邪魔になる。このように自動車の前席においノート型パソコンを使用することは作業の能率が極めて悪い。作業する人間は大変な苦痛と忍耐を強いられることになる。【０００４】  また前席である運転席、助手席において事務作業や食事をしたりする場合においても極めて便利が悪い。自動車のユーティリティはいたせりつくせりの感があるが運転席や助手席のような前席で使用できるテーブルは極めて有用のものであると考えられる。
しかしながら前席で使用可能なテーブルを設けると運転機器の操作の障碍となったり乗降の妨げになったりする。
【課題を解決するための手段】
【０００５】上記課題を本考案においてはテーブルを使用しないときにはテーブルとテーブル支持具を分離することにより解決した。すなわちテーブルを使用しない時においてはテーブル支持具が前席シートの両側付近やドアもしくはドアアームレスト又はパネル付近に収納される形態であることを特徴とする。
【考案の効果】
【０００６】本考案の自動車においては無理な姿勢をすることなく運転席や助手席に座ったままノート型パソコンを操作したり事務処理をすることができ、また食事も自然な楽な姿勢で摂ることができるのである。また本考案による自動車は前席でテーブルを使用しない時にはテーブル支持具を簡単に収納することができるため運転機器の操作や乗降の邪魔にならない。構造的に簡単でありまた丈夫である。取り扱いやすく故障の発生も少ない。
【考案を実施するための最良の形態】
【０００７】  以下本考案の実施の形態を図面に基づき説明する。
図１は請求項１に関する見取り図である。図１の１は前席シートの端付近に埋め込まれた状態で収納されているアームレスト様のテーブル支持具、２は前席の横側付近に取り付けられたアームレスト様テーブル支持具を示している。前席でテーブルを使用する場合には１、２を倒し水平としその上にテーブルを設置すればよいのである。
アームレスト様支持具は水平にした場合その上面は平らであることが望ましいのであるがテーブル板を固定するための突起物などがあっても、テーブルを嵌め込むのに都合がよい構造になっていてもよいのである。
図２は前席シートの両側付近にアームレスト様テーブル支持具が取り付けられている場合の見取り図であり使用方法は図１の場合と同じである。【０００８】図３は請求項２、図４は請求項３に関する見取り図である。請求項１の場合、車種によってはアームレスト様テーブル支持具を長くするとテーブル不使用時における収納が難しくなる事がある。そのよう場合に対応することができるように工夫したのが請求項２と図３及び請求項３と図４である。図３においては３の蝶番によりアームレスト様テーブル支持具が折り畳むことができるのである。テーブルを設置する部分は平らでも、またテーブルを嵌め込むような構造でもよいのである。図４はテーブル不使用時にはアームレスト様支持具の５の部分が筒状になっている１の中に収納できるのである。【０００９】図５は請求項４に関する見取り図である。図５において６はドアーに取り付けられたテーブル支持具である。６はドアーに設置されているアームレストの上面をテーブルが設置できるように平らにしたものでも、テーブルの端を差し込むことができるように横長のくぼみをつけたものでも、または不使用時には折り畳んでドアーにつけてあるくぼみに収納できるようなものでよいのである。６はまた図６における７のように棒状のものであってもよいのである。図５における２は図１〜図４に例示したようなアームレスト様支持具であってもよいのである。図６は請求項５に関する見取り図である。
図６における７はドアーアームレストに取り付けられておりテーブル使用時においてはドアーに対して水平もしくは垂直にしてテーブルを支持するのである。図６はドアーに対して水平にしてテーブルを支持している例を示している。７はテーブル不使用時においてはドアーアームレストにつけられているくぼみに埋め込まれるように収納されるものであってもよいのである。
図７は請求項８に関する見取り図である。８はテーブル不使用時には前席のパネル内に収納されており、テーブル使用時には図７に示してあるように引き出して使用するのである。【００１０】図８は請求項９に関する見取り図で９はテーブルであり１１は蝶番である。
テーブルを使用しないときには１０を折り目として畳みダッシュボード等に収納することができるのである。
図９及び図１０は請求項１０に関する見取り図である。図９はテーブル１３がテーブル１２に内蔵されていることを表している見取り図である。使用時においてテーブル１３を引き出して使用することによりテーブルの面積が広くなる利点がある。図１０においては１４に内蔵されている１５を引き出して使用できるようになっていることを表している。
勿論左右の一方だけを引き出して使用することも出きるのである。
【産業上の利用可能性】
【００１１】本考案によると自動車の前席でテーブルが使用できるようになることから前席すなわち運転席、助手席においてパソコンを使用したり、事務処理をしたりまた食事をしたりする場合極めて便利である。自動車のユーティリティーとし極めて利用性の高いものである。また自動車として乗用車はもちろん商用車、軽自動車、トラックなどの貨物車自動車にも取り付け可能である。
したがって本考案は自動車関係の産業上極めて利用可能性が高いものであると考えられる。
【図面の簡単な説明】
【００１２】
【図１】請求項１の前席シートの端付近に埋め込まれたテーブル支持具及び前席の横側付近に取り付けられたテーブル支持具に関する見取り図である。
【図２】請求項１の前席シートの両側付近に取り付けられたテーブル支持具に関する見取り図である。
【図３】請求項２のテーブル使用時の状態を示す見取り図である。
【図４】請求項３のテーブル使用時の状態を示す見取り図である。
【図５】請求項４のテーブル使用時の状態を示す見取り図である。
【図６】請求項５のテーブル使用時の状態を示す見取り図である。
【図７】請求項８に関する見取り図である。
【図８】請求項９に関する見取り図である。
【図９】請求項１０に関する見取り図である。
【図１０】請求項１０に関する見取り図である。
【符号の説明】
【００１３】１・・前席のシートの端付近に埋め込まれた状態のテーブル支持具。
２・・前席のシート端付近に取り付けられたテーブル支持具。
３・・蝶番。        ４・・  テーブル板。      ５・・請求項３における筒状の穴に収    納されるテーブル支持具。        ６・・上面が平らでテーブル板を装着可能なドア    ーアームレストもしくはドアーに収納可能なテーブル支持具。
７・・ドアーまたはドアーアームレストに取り付けられている棒状のテーブル支持具。
８・・請求項８に関するテーブル支持具。    ９・・請求項９におけるテーブル。
１０・・請求項９におけるテーブルの折り目。        １１・・  請求項９におけるテー      ブルの蝶番    １２・・請求項１０に関する図９におけるテーブル。
１３・・請求項１０に関する図９における引き出して使用可能な内蔵されているテーブル
１４・・請求項１０に関する図１０におけるテーブル。
１５・・請求項１０に関する図１０における引き出して使用可能な内蔵されているテーブ      ル。